【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
地上局アンテナであって、
可動式フィードプレートと、
前記可動式フィードプレート上に配列された第１の電力転送ユニットと、
固定のプレートと、ここにおいて、前記可動式フィードプレートは、前記固定のプレートに対して回転するように構成される、
前記固定のプレート上に配列された第２の電力転送ユニットと
を備え、
前記第１の電力転送ユニットおよび前記第２の電力転送ユニットは、充電リンクを通して互いに、変調された電力信号を通信するように構成され、
前記変調された電力信号は、低データレート信号で変調されたワイヤレス充電電力信号を備える、
地上局アンテナ。
【請求項２】
前記可動式フィードプレート上に配列された第１のセットのエレクトロニクスと、
前記固定のプレート上に配列された第２のセットのエレクトロニクスと
をさらに備え、前記第１のセットのエレクトロニクスおよび前記第２のセットのエレクトロニクスは、互いにデータ通信リンクを通してデータ信号を通信するように構成される、
請求項１に記載の地上局アンテナ。
【請求項３】
前記データ通信リンクは、第１のタイプのデータ信号を通信するために使用され、
前記充電リンクは、前記低データレート信号に対応する第２のタイプのデータ信号を通信するために使用される、
請求項２に記載の地上局アンテナ。
【請求項４】
前記第１のタイプのデータ信号は、コンテンツデータを備える、請求項３に記載の地上局アンテナ。
【請求項５】
前記第２のタイプのデータ信号は、モータ制御コマンド信号、健康／維持情報、配電、温度センサ信号、湿度センサ信号、故障モード、構造的インテグリティセンサデータ、または環境センサデータのうちの少なくとも１つを備える、請求項３に記載の地上局アンテナ。
【請求項６】
前記第２のタイプのデータ信号は、コンテンツデータを備える、請求項３に記載の地上局アンテナ。
【請求項７】
前記第２のタイプのデータ信号は、前記地上局アンテナのコンポーネントを制御するために使用されるデータ信号を備える、請求項４に記載の地上局アンテナ。
【請求項８】
前記充電リンクは、前記データ通信リンクからデータ信号をオフロードする、請求項２に記載の地上局アンテナ。
【請求項９】
前記変調された電力信号に関連付けられた前記充電電力信号および前記低データレート信号は、同時に通信される、請求項１に記載の地上局アンテナ。
【請求項１０】
前記第１の電力転送ユニットは、第１のループを備え、
前記第２の電力転送ユニットは、第２のループを備え、
前記第１のループおよび前記第２のループの各々は、前記第１のループおよび前記第２のループのうちのもう一方に誘導結合された誘導性ループである、
請求項１に記載の地上局アンテナ。
【請求項１１】
前記可動式フィードプレート上に配列された可動式通信コンポーネントと、ここにおいて、前記可動式通信コンポーネントは、第１のプロセッサを備える、
前記固定のプレート上に配列された固定の通信コンポーネントと、ここにおいて、前記固定の通信コンポーネントは、第２のプロセッサを備える、
をさらに備える、請求項１に記載の地上局アンテナ。
【請求項１２】
前記可動式通信コンポーネントは、モータに結合され、
前記可動式通信コンポーネントは、モータ制御信号を前記モータに通信する、
請求項１１に記載の地上局アンテナ。
【請求項１３】
前記固定の通信コンポーネントは、モータに結合され、
前記固定の通信コンポーネントは、モータ制御信号を前記モータに通信する、
請求項１１に記載の地上局アンテナ。
【請求項１４】
地上局アンテナを提供するための方法であって、
可動式フィードプレートを提供することと、
前記可動式フィードプレート上に配列された第１の電力転送ユニットを提供することと、
固定のプレートを提供することと、ここにおいて、前記可動式フィードプレートは、前記固定のプレートに対して回転するように構成される、
前記固定のプレート上に配列された第２の電力転送ユニットを提供することと
を備え、
前記第１の電力転送ユニットおよび前記第２の電力転送ユニットは、充電リンクを通して互いに、変調された電力信号を通信するように構成され、
前記変調された電力信号は、低データレート信号で変調されたワイヤレス充電電力信号を備える、
方法。
【手続補正２】
【補正対象書類名】明細書
【補正対象項目名】００８１
【補正方法】変更
【補正の内容】
【００８１】
[0085]本開示およびそれの利点が詳細に説明されてきたが、添付の特許請求の範囲によって定義される本開示の技術から逸脱することなく、様々な変更、置換、および代替が、本明細書で行われ得ることが理解されるべきである。例えば、「上（above）」および「下（below）」といった相関用語が、基板または電子デバイスに対して使用される。当然ながら、基板または電子デバイスが反転している場合、上が下になり、逆もまた同様である。追加的に、横向きに傾けられている場合、上および下は、基板または電子デバイスの両端を指し得る。さらに、本願の範囲は、本明細書で説明されたプロセス、機械、製造物、組成物（composition of matter）、手段、方法、およびステップの特定の構成に限定されるようには意図されない。当業者が本開示から容易に理解するであろうように、本明細書で説明された対応する構成と実質的に同じ結果を達成するかあるいは実質的に同じ機能を行う、既存のまたは後に開発されるプロセス、機械、製造物、組成物、手段、方法、またはステップが本開示にしたがって利用され得る。したがって、添付の特許請求の範囲は、このようなプロセス、機械、製造物、組成物、手段、方法、またはステップを、その範囲内に含むように意図される。  以下に本願発明の当初の特許請求の範囲に記載された発明を付記する。
［Ｃ１］
地上局アンテナであって、
可動式フィードプレートと、
前記可動式フィードプレート上に配列された第１の電力転送ユニットと、
固定のプレートと、ここにおいて、前記可動式フィードプレートは、前記固定のプレートに対して回転するように構成される、
前記固定のプレート上に配列された第２の電力転送ユニットと
を備え、
前記第１の電力転送ユニットおよび前記第２の電力転送ユニットは、充電リンクを通して互いに、変調された電力信号を通信するように構成され、
前記変調された電力信号は、ワイヤレス充電電力信号とデータ信号とを備える、
地上局アンテナ。
［Ｃ２］
前記可動式フィードプレート上に配列された第１のセットのエレクトロニクスと、
前記固定のプレート上に配列された第２のセットのエレクトロニクスと
をさらに備え、前記第１のセットのエレクトロニクスおよび前記第２のセットのエレクトロニクスは、互いにデータ通信リンクを通してデータ信号を通信するように構成される、
Ｃ１に記載の地上局アンテナ。
［Ｃ３］
前記データ通信リンクおよび前記充電リンクは、異なるリンクである、Ｃ２に記載の地上局アンテナ。
［Ｃ４］
前記データ通信リンクは、第１のタイプのデータ信号を通信するために使用され、
前記充電リンクは、第２のタイプのデータ信号を通信するために使用される、
Ｃ２に記載の地上局アンテナ。
［Ｃ５］
前記第１のタイプのデータ信号は、コンテンツデータを備える、Ｃ４に記載の地上局アンテナ。
［Ｃ６］
前記第２のタイプのデータ信号は、モータ制御コマンド信号、健康／維持情報、配電、温度センサ信号、湿度センサ信号、故障モード、構造的インテグリティセンサデータ、または環境センサデータのうちの少なくとも１つを備える、Ｃ４に記載の地上局アンテナ。
［Ｃ７］
前記第２のタイプのデータ信号は、コンテンツデータを備える、Ｃ４に記載の地上局アンテナ。
［Ｃ８］
前記第２のタイプのデータ信号は、前記地上局アンテナのコンポーネントを制御するために使用されるデータ信号を備える、Ｃ４に記載の地上局アンテナ。
［Ｃ９］
前記充電リンクは、前記データ通信リンクからデータ信号をオフロードする、Ｃ２に記載の地上局アンテナ。
［Ｃ１０］
前記データ通信リンクは、Ｂｌｕｅｔｏｏｔｈリンク、ＷｉＦｉリンク、または光学リンクである、Ｃ２に記載の地上局アンテナ。
［Ｃ１１］
前記変調された電力信号に関連付けられた前記充電電力信号および前記データ信号は、同時に通信される、Ｃ１に記載の地上局アンテナ。
［Ｃ１２］
前記充電リンクの前記データ信号に関連付けられた第１のデータレートは、前記データ通信リンクの前記データ信号に関連付けられた第２のデータレートよりも遅い、Ｃ１に記載の地上局アンテナ。
［Ｃ１３］
前記第１の電力転送ユニットは、第１のループを備え、
前記第２の電力転送ユニットは、第２のループを備え、
前記第１のループおよび前記第２のループの各々は、前記第１のループおよび前記第２のループのうちのもう一方に誘導結合された誘導性ループである、
Ｃ１に記載の地上局アンテナ。
［Ｃ１４］
前記可動式フィードプレート上に配列された可動式通信コンポーネントと、ここにおいて、前記可動式通信コンポーネントは、第１のプロセッサを備える、
前記固定のプレート上に配列された固定の通信コンポーネントと、ここにおいて、前記固定の通信コンポーネントは、第２のプロセッサを備える、
をさらに備える、Ｃ１に記載の地上局アンテナ。
［Ｃ１５］
前記可動式通信コンポーネントは、前記第１の電力転送ユニットを介して前記充電リンクを通して受信された前記データ信号を復号するか、または、前記第１の電力転送ユニットを介して前記充電リンクを通して送信された前記データ信号を符号化するように構成される、Ｃ１４に記載の地上局アンテナ。
［Ｃ１６］
前記可動式通信コンポーネントは、モータに結合され、
前記可動式通信コンポーネントは、モータ制御信号を前記モータに通信する、
Ｃ１４に記載の地上局アンテナ。
［Ｃ１７］
前記固定の通信コンポーネントは、前記第２の電力転送ユニットを介して前記充電リンクを通して受信された前記データ信号を復号するか、または、前記第２の電力転送ユニットを介して前記充電リンクを通して送信された前記データ信号を符号化するように構成される、Ｃ１４に記載の地上局アンテナ。
［Ｃ１８］
前記固定の通信コンポーネントは、モータに結合され、
前記固定の通信コンポーネントは、モータ制御信号を前記モータに通信する、
Ｃ１４に記載の地上局アンテナ。
［Ｃ１９］
地上局アンテナを提供するための方法であって、
可動式フィードプレートを提供することと、
前記可動式フィードプレート上に配列された第１の電力転送ユニットを提供することと、
固定のプレートを提供することと、ここにおいて、前記可動式フィードプレートは、前記固定のプレートに対して回転するように構成される、
前記固定のプレート上に配列された第２の電力転送ユニットを提供することと
を備え、
前記第１の電力転送ユニットおよび前記第２の電力転送ユニットは、充電リンクを通して互いに、変調された電力信号を通信するように構成され、
前記変調された電力信号は、ワイヤレス充電電力信号とデータ信号とを備える、
方法。
［Ｃ２０］
地上局アンテナであって、
可動式フィードプレートを提供するための手段と、
前記可動式フィードプレート上に配列された第１の電力転送ユニットを提供するための手段と、
固定のプレートを提供するための手段と、ここにおいて、前記可動式フィードプレートは、前記固定のプレートに対して回転するように構成される、
前記固定のプレート上に配列された第２の電力転送ユニットを提供するための手段と を備え、
前記第１の電力転送ユニットおよび前記第２の電力転送ユニットを提供するための前記手段は、充電リンクを通して互いに、変調された電力信号を通信するように構成され、 前記変調された電力信号は、ワイヤレス充電電力信号とデータ信号とを備える、
地上局アンテナ。